(57)【要約】【課題】ダイビングログを外部に出力するなどによりライセンス取得時の手続きを簡略化する。【解決手段】水深を検出する水深検出部を備えたダイバーズ用情報処理装置において、水深を検出させ、検出した水深に基づいてダイビング履歴を記憶させ、当該ダイバーズ用情報処理装置のユーザ固有の情報であるユーザ固有情報を記憶させ、ダイビング履歴およびユーザ固有情報を外部からの要求に基づいて出力させて、ライセンス取得に必要な手続きを行わせる。【選択図】図７
2008269451.tif 000002
【特許請求の範囲】
【請求項１】
水深を検出する水深検出部と、
検出した水深に基づいてダイビング履歴を記憶するダイビング履歴記憶部と、
当該ダイバーズ用情報処理装置のユーザ固有の情報であるユーザ固有情報を記憶するユ
ーザ情報記憶部と、
前記ダイビング履歴および前記ユーザ固有情報を外部からの要求信号に基づいて出力す
る情報出力部と、
を備えたことを特徴とするダイバーズ用情報処理装置。
【請求項２】
請求項１記載のダイバーズ用情報処理装置において、
前記ユーザ情報記憶部は、前記ユーザ固有情報としての、これから取得しようとするラ
イセンスあるいは既に取得しているライセンスに関する情報を記憶するライセンス情報記
憶部を備えたことを特徴とするダイバーズ用情報処理装置。
【請求項３】
請求項２記載のダイバーズ用情報処理装置において、
前記ライセンス情報記憶部は、外部機器により通信インタフェースを介して前記既に取
得しているライセンスに関する情報が書き込まれることを特徴とするダイバーズ用情報処
理装置。
【請求項４】
請求項３記載のダイバーズ用情報処理装置に対し前記ライセンス情報を書き込む前記外
部機器としてのライセンス情報処理装置であって、
前記通信インタフェースを介して前記ダイビング履歴およびライセンスに関する情報を
読み出す履歴読出部と、
前記読み出したダイビング履歴が、所定のライセンス条件を満たすダイビング履歴とな
っているか否かを判別する判別部と、
前記ライセンスに関する情報および前記判別部の判別結果に基づいて新たなライセンス
情報を前記ライセンス情報記憶部に書き込むライセンス情報書込部と、
を備えたことを特徴とするライセンス情報処理装置。
【請求項５】
請求項４記載のライセンス情報処理装置において、
前記ダイビング履歴を所定の基準ダイビング履歴と比較するに際し、前記ダイビング履
歴を構成する項目毎に許容誤差を設定していることを特徴とするライセンス情報処理装置
。
【請求項６】
水深を検出する水深検出過程と、
検出した水深に基づいてダイビング履歴を記憶するダイビング履歴記憶過程と、
当該ダイバーズ用情報処理装置のユーザ固有の情報であるユーザ固有情報を記憶するユ
ーザ情報記憶過程と、
前記ダイビング履歴および前記ユーザ固有情報を外部からの要求信号に基づいて出力す
る情報出力過程と、
を備えたことを特徴とするダイバーズ用情報処理装置の制御方法。
【請求項７】
ダイビング履歴およびライセンスに関する情報を記憶しているダイバーズ用情報処理装
置に対し、ライセンス情報を書き込む外部機器として機能するライセンス情報処理装置の
制御方法であって、
通信インタフェースを介して前記ダイビング履歴およびライセンスに関する情報を読み
出す履歴読出過程と、
前記読み出したダイビング履歴が、所定のライセンス条件を満たすダイビング履歴とな
っているか否かを判別する判別過程と、
前記ライセンスに関する情報および前記判別結果に基づいて新たなライセンス情報を前
記ライセンス情報を前記ダイバーズ用情報処理装置に書き込むライセンス情報書込過程と
、
を備えたことを特徴とするライセンス情報処理装置の制御方法。
【請求項８】
水深を検出する水深検出部を備えたダイバーズ用情報処理装置をコンピュータにより制
御するための制御プログラムにおいて、
水深を検出させ、
検出した水深に基づいてダイビング履歴を記憶させ、
当該ダイバーズ用情報処理装置のユーザ固有の情報であるユーザ固有情報を記憶させ、
前記ダイビング履歴および前記ユーザ固有情報を外部からの要求に基づいて出力させる
、
ことを特徴とする制御プログラム。
【請求項９】
通信インタフェースを有し、ダイビング履歴およびライセンスに関する情報を記憶して
いるダイバーズ用情報処理装置に対し、ライセンス情報を書き込む外部機器として機能す
るライセンス情報処理装置をコンピュータにより制御するための制御プログラムであって
、
前記ダイバーズ用情報処理装置から前記通信インタフェースを介して前記ダイビング履
歴およびライセンスに関する情報を読み出させ、
前記読み出したダイビング履歴が、所定のライセンス条件を満たすダイビング履歴とな
っているか否かを判別させ、
前記ライセンスに関する情報および前記判別結果に基づいて新たなライセンス情報を前
記ライセンス情報を前記ダイバーズ用情報処理装置に書き込ませる、
ことを特徴とする制御プログラム。
【発明の詳細な説明】
【技術分野】
【０００１】
本発明は、ダイバーズ用情報処理装置、ライセンス情報処理装置、ダイバーズ用情報処
理装置の制御方法、ライセンス情報処理装置の制御方法および制御プログラムに係り、特
にライセンスの取得を容易とするためのライセンス取得支援技術に関する。
【背景技術】
【０００２】
海洋等でダイビングを行うためには、様々な指導団体の発行するライセンスが必要であ
り、ライセンスを取得するためには、その指導団体が実施する、規定された実習を終了し
なければならない。また、ライセンスの種類にも、入門レベルのランクから、中級コース
や、インストラクタのような上級コースなどが設定されており、それぞれに必要な経験ダ
イビング本数や、実習ダイビング本数や実習パターンが決められており、それらをクリア
して初めて指導団体に登録され、ライセンスが発行される。
【０００３】
【特許文献１】特開平１１−２３７４７号公報
【発明の開示】
【発明が解決しようとする課題】
【０００４】
しかしながら、ライセンスを発行するためには、登録手続が必要であり、参加要件を明
示するために、自分の保有している現在のライセンス種類や、ダイビング履歴をいちいち
写し取る、または、過去のログブック等を参照して記入する必要がある。
例えば、うっかりして記載ミス等があった場合、せっかくの機会に参加できない事や、
ライセンスを発行されなくこともある。またライセンスはカードで発行されることが多く
、破損や紛失等で、再発行も頻繁に発生している。更に実習においても、インストラクタ
の求めるダイビングスキルに適合していたかどうかは、なかなか把握できない問題もあっ
た。
【０００５】
ところで、従来、ダイブコンピュータと呼ばれるダイバーズ用情報処理装置が知られて
いる。このダイブコンピュータでは、ダイビングにおいて発生する危険を事前に警告した
り、ユーザによって任意設定された到達予定水深、経過潜水時間に達すると、ユーザに警
告あるいは通知するためにアラームを報知する機能を有している（例えば、特許文献１参
照）。
しかしながら、従来のダイブコンピュータは、あくまでダイビング時の安全を確保する
ために用いるものであり、たとえ、ダイビングログ（ダイビング履歴）を記録した場合で
あっても、個人の用途として用いるだけであり、ライセンス取得などに用いることはでき
なかった。
そこで、本発明の目的は、ダイビングログを外部に出力するなどによりライセンス取得
時の手続きを簡略化することが可能なダイバーズ用情報処理装置およびこのダイバーズ用
情報処理装置にライセンス情報を書き込むライセンス情報処理装置、ダイバーズ用情報処
理装置の制御方法、ライセンス情報処理装置の制御方法および制御プログラムを提供する
ことにある。
【課題を解決するための手段】
【０００６】
上記課題を解決するため、水深を検出する水深検出部と、検出した水深に基づいてダイ
ビング履歴を記憶するダイビング履歴記憶部と、当該ダイバーズ用情報処理装置のユーザ
固有の情報であるユーザ固有情報を記憶するユーザ情報記憶部と、前記ダイビング履歴お
よび前記ユーザ固有情報を外部からの要求信号に基づいて出力する情報出力部と、を備え
たことを特徴としている。
上記構成よれば、水深検出部は、水深を検出し、ダイビング履歴記憶部は、検出した水
深に基づいてダイビング履歴を記憶する。また、ユーザ情報記憶部部は、当該ダイバーズ
用情報処理装置のユーザ固有の情報であるユーザ固有情報を記憶する。
これらの結果、情報出力部は、ダイビング履歴およびユーザ固有情報を外部からの要求
信号に基づいて出力する。
したがって、ダイビング履歴およびユーザ固有情報を外部からの要求信号に基づいて出
力できるので、これらをライセンス取得用のデータとして用いることによりライセンス取
得時の手続きを簡略化することができる。
【０００７】
この場合において、前記ユーザ情報記憶部は、前記ユーザ固有情報としての、これから
取得しようとするライセンスあるいは既に取得しているライセンスに関する情報を記憶す
るライセンス情報記憶部を備えるようにしてもよい。
上記構成によれば、ダイバーズ用情報処理装置は、これから取得しようとするライセン
スあるいは既に取得しているライセンスに関する情報を記憶しているので、これらを用い
て新たなライセンス取得時の手続きを簡略化することができる。
また、前記ライセンス情報記憶部は、外部機器により通信インタフェースを介して前記
既に取得しているライセンスに関する情報が書き込まれるようにしてもよい。
上記構成によれば、取得しているライセンスに関する情報を最新のものとし、これを新
たなライセンス取得時の手続きが確実に行える。
【０００８】
また、上記ダイバーズ用情報処理装置に対し前記ライセンス情報を書き込む前記外部機
器としてのライセンス情報処理装置であって、前記通信インタフェースを介して前記ダイ
ビング履歴およびライセンスに関する情報を読み出す履歴読出部と、前記読み出したダイ
ビング履歴が、所定のライセンス条件を満たすダイビング履歴となっているか否かを判別
する判別部と、前記ライセンスに関する情報および前記判別部の判別結果に基づいて新た
なライセンス情報を前記ライセンス情報記憶部に書き込むライセンス情報書込部と、を備
えたことを特徴としている。
上記構成によれば、履歴読出部は、通信インタフェースを介してダイビング履歴および
ライセンスに関する情報を読み出し、判別部は、読み出したダイビング履歴が、所定のラ
イセンス条件を満たすダイビング履歴となっているか否かを判別する。
これらの結果、ライセンス情報書込部は、ライセンスに関する情報および判別部の判別
結果に基づいて新たなライセンス情報をライセンス情報記憶部に書き込む。
したがって、ライセンス発行側においても、ライセンス発行時の手続きの簡略化と、確
実化が行える。
【０００９】
この場合において、前記ダイビング履歴を所定の基準ダイビング履歴と比較するに際し
、前記ダイビング履歴を構成する項目毎に許容誤差を設定しているようにしてもよい。
上記構成によれば、現実的に許容できる範囲内で、ライセンスを発行することが可能と
なる。
また、ダイバーズ用情報処理装置の制御方法は、水深を検出する水深検出過程と、検出
した水深に基づいてダイビング履歴を記憶するダイビング履歴記憶過程と、当該ダイバー
ズ用情報処理装置のユーザ固有の情報であるユーザ固有情報を記憶するユーザ情報記憶過
程と、前記ダイビング履歴および前記ユーザ固有情報を外部からの要求信号に基づいて出
力する情報出力過程と、を備えたことを特徴としている。
上記構成によれば、ダイビング履歴およびユーザ固有情報を外部からの要求信号に基づ
いて出力できるので、これらをライセンス取得用のデータとして用いることによりライセ
ンス取得時の手続きを簡略化することができる。
【００１０】
また、ダイビング履歴およびライセンスに関する情報を記憶しているダイバーズ用情報
処理装置に対し、ライセンス情報を書き込む外部機器として機能するライセンス情報処理
装置の制御方法であって、通信インタフェースを介して前記ダイビング履歴およびライセ
ンスに関する情報を読み出す履歴読出過程と、前記読み出したダイビング履歴が、所定の
ライセンス条件を満たすダイビング履歴となっているか否かを判別する判別過程と、前記
ライセンスに関する情報および前記判別結果に基づいて新たなライセンス情報を前記ライ
センス情報を前記ダイバーズ用情報処理装置に書き込むライセンス情報書込過程と、を備
えたことを特徴としている。
上記構成によれば、ライセンス発行側においても、ライセンス発行時の手続きの簡略化
と、確実化が行える。
【００１１】
また、水深を検出する水深検出部を備えたダイバーズ用情報処理装置をコンピュータに
より制御するための制御プログラムにおいて、水深を検出させ、検出した水深に基づいて
ダイビング履歴を記憶させ、当該ダイバーズ用情報処理装置のユーザ固有の情報であるユ
ーザ固有情報を記憶させ、前記ダイビング履歴および前記ユーザ固有情報を外部からの要
求に基づいて出力させる、ことを特徴としている。
上記構成によれば、ダイビング履歴およびユーザ固有情報を外部からの要求信号に基づ
いて出力できるので、これらをライセンス取得用のデータとして用いることによりライセ
ンス取得時の手続きを簡略化することができる。
通信インタフェースを有し、ダイビング履歴およびライセンスに関する情報を記憶して
いるダイバーズ用情報処理装置に対し、ライセンス情報を書き込む外部機器として機能す
るライセンス情報処理装置をコンピュータにより制御するための制御プログラムであって
、前記ダイバーズ用情報処理装置から前記通信インタフェースを介して前記ダイビング履
歴およびライセンスに関する情報を読み出させ、前記読み出したダイビング履歴が、所定
のライセンス条件を満たすダイビング履歴となっているか否かを判別させ、前記ライセン
スに関する情報および前記判別結果に基づいて新たなライセンス情報を前記ライセンス情
報を前記ダイバーズ用情報処理装置に書き込ませる、ことを特徴としている。
上記構成によれば、ライセンス発行側においても、ライセンス発行時の手続きの簡略化
と、確実化が行える。
この場合において、上記各制御プログラムをコンピュータ読取可能な記録媒体に記録す
るようにしても良い。
【発明の効果】
【００１２】
本発明によれば、ダイバーズ用情報処理装置に記憶されているダイビングログを外部に
出力するなどにより、ライセンス取得時あるいは発行時の手続きを簡略化することができ
る。
【発明を実施するための最良の形態】
【００１３】
次に図面を参照して本発明の好適な実施の形態について説明する。
図１は、実施形態のダイビングライセンス発行システムの概要構成ブロック図である。
ダイビングライセンス発行システム１０は、大別すると、ダイバーズ用情報処理装置で
あるダイブコンピュータ１１と、ライセンス情報処理端末装置１２と、ライセンス管理サ
ーバ１３と、ライセンス情報処理端末装置１２とライセンス管理サーバ１３とを通信可能
に接続するネットワーク１４と、を備えている。
ダイブコンピュータ１１は、ライセンス情報処理端末装置１２とログデータや、ライセ
ンスの情報の送受信を行う。
ライセンス情報処理端末装置１２は、ダイビングのライセンス発行を行う指導団体が所
有するライセンス管理サーバ１３と、インターネット等の既存のネットワーク１４を利用
してデータの送受信を行う。
図２は、ダイバーズ用情報処理装置のブロック図である。
ダイブコンピュータ１１は、図２に示すように、大別すると、処理部３０と、入水検知
部３１と、操作部３２と、水深演算部３３と、ログ／ヒストリー記録部３４と、ＩＤ記録
部３５と、信号入力部３６と、信号出力部３７と、表示部３８と、を備えている。
【００１４】
処理部３０は、マイクロコンピュータとして構成されており、図示していないが、処理
部３０全体を制御するＣＰＵと、ライセンス取得用の制御プログラムを含む各種制御プロ
グラムを予め記憶したやＲＯＭと、各種データを一時的に記憶するＲＡＭと、を備えてい
る。さらに処理部３０は、各種データを暗号化して用いるための暗号処理部３０Ａを備え
ており、外部とのデータのやりとりの際には、常時、暗号データを用いて行っている。
入水検知部３１は、装置本体の上面に露出している２つの電極を備え、これらの電極が
海水などで導通し、両電極間の抵抗値が小さくなったときに入水したものと判断する。な
お、この入水検知部３１は、あくまで入水したことを検出して、ダイブコンピュータ１１
の動作モードを潜水時の動作モード（ダイビングモード）に移行するのに用いられるもの
で、ダイビングを開始した旨を検出するものではない。すなわち、ダイブコンピュータ１
１を装着した腕が海水に浸かっただけのこともあり、このような場合にはダイビングを開
始したものと扱うべきではないからである。このため、本実施形態のダイブコンピュータ
１１では、水深演算部３３が演算した水深（水圧）が所定の水深以上、たとえば、本実施
形態では水深が１．５ｍ（潜水開始判定用水深値）より深くなったときにダイビングを開
始したものと見做している。
【００１５】
操作部３２は、ダイバーが各種操作を行う複数のスイッチを備えている。
水深演算部３３は、図示しない圧力センサを有し、この圧力センサで検出した圧力に基
づいて水深を求める。なお、この水深演算部３３が動作を開始するのは、上述した入水検
知部３１により、ダイバーが水中に入ったことを検知した場合である。
ログ／ヒストリー記録部３４は、ダイビングのログやヒストリー、プロファイルを記録
する。
ＩＤ記録部３５は、ライセンスに関する情報（ライセンスデータ）を記録する。この場
合において、ＩＤ記録部３５は、ハードウェア的に暗号化がなされており、ライセンスに
関する情報が外部から読み取られないようにしている。
信号入力部３６は、外部から、ライセンスデータ等の新しいデータが入力され、ＩＤ記
録部３５に記録を行う。
信号出力部３７は、ログ／ヒストリー記録部３４やＩＤ記録部３５に記録されているデ
ータを外部に出力する。
表示部３８は、ダイビング中の水深データ、ログデータ、または後述するライセンス情
報の表示を行う。この場合において、表示部３８は、カラーのフルドット表示で構成し、
文字情報だけでなく、ライセンスカードのグラフィックデータ（例えば、図１に示すよう
に、証明写真ＰＨ）を表示できるようにしてもよい。
上記構成において、信号入力部３６および信号出力部３７は、有線のデータ通信線とし
てのシリアル通信線やパラレル通信線を介して、あるいは、電波や光等による無線の通信
によって通信を行うよう構成することが可能である。
【００１６】
ここで、ダイブコンピュータ１１の表示部３８における表示について説明する。
図３は、１回のダイビングにおいて水深の推移を示すプロファイルの一例の説明図であ
る。
図３において、時間経過に対する水深の変化がグラフ２１で表されており、図３に示し
たダイビングでは、最大水深３１．３ｍで４５分間のダイビングが行われたことを表して
いる。
【００１７】
図４は、図３に示すダイビングを行い、表示部において、そのログ情報を表示している
場合の表示画面の説明図である。
図４の例の場合、表示部３８には、ダイビング日付データ６１、最大水深データ６２、
平均水深データ６３および最低水温データ６４が表示されている。
具体的には、表示部３８には、ダイビング日付データ６１＝「１２月１日」、最大水深
データ６２＝３１．３ｍ、平均水深データ６３＝１９．４ｍ、最低水温データ６４＝２１
．３℃が表示されており、１２月１日に行ったダイビングでは、最大３１．３ｍまで潜り
、潜水時の平均水深が１９．４ｍ、最低水温が２１．３℃であることを示している。
【００１８】
図５は、図３に示すダイビングを行い、表示部において、ダイビング毎のログ情報を表
示している場合の表示画面の説明図である。
図５の例の場合、表示部３８には、ダイビング本数データ６５、潜水開始時刻６６、潜
水終了時刻データ６７および潜水時間データ６８が表示されている。
具体的には、表示部３８には、ダイビング本数データ６５＝「Ｎｏ．１」、潜水開始時
刻６６＝「１０：３０」、潜水終了時刻データ６７＝「１１：１５」、潜水時間データ６
８＝「４５ｍｉｎ」が表示されており、その日（本例では、１２月１日）の第１本目のダ
イビングの潜水開始時刻は１０時３０分、潜水終了時刻は１１時１５分であり、潜水時間
は４５分であったことが示されている。
【００１９】
図６は、表示部において、過去のダイビングのトータル情報であるヒストリーデータを
表示している場合の表示画面の説明図である。
図６の例の場合、表示部３８には、トータルダイブタイムデータ７１およびトータルダ
イブ数データ７２が表示されている。
具体的には、トータルダイブタイムデータ７１＝「８５ｈ  ４５ｍｉｎ」、トータルダ
イブ数データ７２＝「８０  ｄｉｖｅ」が表示されており、今までのダイビング経験時間
は、８５時間４５分であり、今まで経験したダイビング本数が８０本であったことが示さ
れている。
【００２０】
図７は、ライセンス情報処理端末装置１２の概要構成ブロック図である。
ライセンス情報処理端末装置１２は、図７に示すように、大別すると、処理部５０と、
ＩＰ接続部５１と、信号入力部５２と、信号出力部５３と、表示部５４と、を備えている
。
処理部５０は、マイクロコンピュータとして構成されており、図示していないが、処理
部５０全体を制御するＣＰＵと、ライセンス情報処理用の制御プログラムを含む各種制御
プログラムを予め記憶したやＲＯＭと、各種データを一時的に記憶するＲＡＭと、を備え
ている。
ＩＰ接続部５１は、ネットワーク１４を介してライセンス管理サーバ１３と通信を行う
ためのインタフェース動作を行う。
信号入力部５２は、ダイブコンピュータ１１の信号出力部３７との間で通信を行うべく
、データが入力される。
信号出力部５３は、ダイブコンピュータ１１の信号入力部３６との間で通信を行うべく
データを出力する。
表示部５４は、ダイビング中の水深データ、ログデータ、または後述するライセンス情
報の表示を行う。
なお、ライセンス情報処理端末装置１２の機能として、ダイブコンピュータ１１からの
信号を他データと比較を行う場合に、比較処理を処理部５０で行っても良いし、その処理
をライセンス管理サーバ１３に行わせ、結果をネットワーク１４およびＩＰ接続部５１を
介して受信するようにしてもよい。
【００２１】
図８は、ダイブコンピュータを用いたライセンス管理の処理フローチャートである。
まず、ライセンスを取得する為に、ダイバーは実習を行う会場で登録処理を行う（ステ
ップＳ１０）。
この登録処理を行う場合には、ダイバーは、ダイブコンピュータ１１をライセンス情報
処理端末装置１２に接続して、既存のライセンスの有無を確認することとなる。
これにより、ライセンス情報処理端末装置１２は、ダイブコンピュータ１１のユーザで
あるダイバーの登録処理が初回であるか否か、すなわち、初めてライセンスを取得する場
合であるか否かを判別する（ステップＳ１１）。
ステップＳ１１の判別において、ダイバーの登録処理が初回である場合、すなわち、初
めてライセンスを取得する場合には（ステップＳ１１；Ｙｅｓ）、ダイブコンピュータ１
１のＩＤ記録部３５には、ライセンスデータが無いため、ライセンス情報処理端末装置１
２によりライセンス取得試験のための新規コードの発行処理が行われる（ステップＳ１２
）。
具体的には、ライセンス情報処理端末装置１２の処理部５０は、ライセンス取得試験の
新規コードを生成し、ＩＰ接続部５１およびネットワーク１４を介してライセンス管理サ
ーバ１３に接続してライセンス取得試験の新規コード（暗号化済み）をライセンス管理サ
ーバ１３に登録するとともに、ライセンス取得試験の新規コード（暗号化済み）を信号出
力部５３を介してダイブコンピュータ１１に出力する。
【００２２】
ダイブコンピュータ１１の処理部３０は、信号入力部３６を介してライセンス取得試験
の新規コード（暗号化済み）を取得し、暗号処理部３０Ａにより復号し、ＩＤ記録部３５
に出力する。これによりＩＤ記録部３５は、入力されたライセンス取得試験の新規コード
を再び独自に暗号化して記録し、処理をステップＳ１３に移行する。
ステップＳ１１の判別において、ダイバーの登録処理が初回では無い場合、すなわち、
既に何らかのライセンスがある場合には（ステップＳ１１；Ｎｏ）、コース選択処理に移
行して、ユーザに今回実習するコースを選択させる（ステップＳ２１）。
続いてライセンス情報処理端末装置１２の処理部５０は、ダイブコンピュータの処理部
３０、信号出力部３７および信号入力部５２を介して、ログ／ヒストリー記録部３４およ
びＩＤ記録部３５に記録されているライセンス取得関連データを読み取る（ステップＳ２
２）。
続いて、ライセンス情報処理端末装置１２の処理部５０は、読み取ったライセンス取得
関連データがユーザの選択した実習するコースを受講するのに十分な資格を満たしている
か否かを判別する（ステップＳ２３）。
具体的には、指導団体の制度では、コース内容に応じて、持っていなければならないラ
イセンスや、ヒストリーデータのトータルダイブタイムやトータルダイブ本数がある値以
上であることが要求されており、これらの要求条件を満たしているか否かが判別されるの
である。
【００２３】
ステップＳ２３の判別において、読み取ったライセンス取得関連データがユーザの選択
した実習するコースを受講するのに、不十分である場合には（ステップＳ２３；Ｎｏ）、
再登録処理に移行し（ステップＳ２４）、再び処理をステップＳ２１に移行する。
ステップＳ２３の判別において、読み取ったライセンス取得関連データがユーザの選択
した実習するコースを受講するのに十分な資格を満たしている場合には（ステップＳ２３
；Ｙｅｓ）、必要な実習が各ダイバーに対しなされることとなる（ステップＳ１３）。
続いてライセンス情報処理端末装置１２の処理部５０は、再びダイブコンピュータの処
理部３０、信号出力部３７および信号入力部５２を介して、ログ／ヒストリー記録部３４
およびＩＤ記録部３５に記録されているライセンス取得関連データを読み取り、各コース
毎に設定された所定の回数のダイビングが終了したかなどのライセンス取得に必要な実習
が終了したか否かを判別する（ステップＳ１４）。
ステップＳ１４の判別において、未だライセンス取得に必要な実習が終了していない場
合には（ステップＳ１４；Ｎｏ）、再び実習を行わせ（ステップＳ１３）、以下、同様の
手順を踏むこととなる。
ステップＳ１４の判別において、既にライセンス取得に必要な実習が終了した場合には
（ステップＳ１４；Ｙｅｓ）、実習の際の指導者のダイビングログ（基準ダイビング履歴
）と、実習受講者のダイバーのダイビングログ（ダイビング履歴）を比較し、全て許容範
囲内であったか否かを判別する（ステップＳ１５）。なお、本実施形態では、指導者のダ
イビングログと比較しているが、規格化されたダイビングパターンであれば、ライセンス
情報処理端末装置１２あるいはライセンス管理サーバ１３で生成される基準ログデータと
の比較を行っても良い。
【００２４】
図９は、指導者とのログ比較に用いるダイビングログデータと、その許容誤差とを説明
する図である。
指導者のダイビングログデータは、その指導者が使用したダイブコンピュータ等からダ
ウンロードされてライセンス情報処理端末装置１２に取得される。
図９において、許容誤差とは、指導者のダイビングログデータの数値に対して、許容さ
れる実習者であるダイバーのダイビングログデータの数値を示している。
例えば、実習を行った月日／Ｎｏは差異があってはならないが、時刻情報である潜水開
始時刻、潜水終了時刻、潜水時間などは時計誤差や、ダイビング開始タイミングが異なる
ため、２分の誤差を許容していることを示している。
また、最大水深や平均水深は、指導者より浅い状態（低深度状態）を厳しく見るように
している。
プロファイルデータの比較では、ダイビング開始時は、飛び込み方と開始タイミングに
よって生じる５ｍの誤差を許容するが、例えば、３分経過時には、カリキュラムでは水底
で安定している状態が求められているので、±２ｍの誤差と厳しくする等、実習内容によ
って、許容誤差を変えながら判断を行うようにされている。
そして、実習の際の指導者のダイビングログと、実習受講者のダイバーのダイビングロ
グを比較し、許容範囲外の項目が発生していた場合は（ステップＳ１５；Ｎｏ）、実習中
に何らかの原因により、ライセンス取得に必要な所定のダイビングが行えなかったものと
判断し、再び実習実施を行わせ（ステップＳ１３）、以下同様の手順を踏むこととなる。
一方、実習の際の指導者のダイビングログと、実習受講者のダイバーのダイビングログ
を比較し、全て許容範囲内であった場合には（ステップＳ１５；Ｙｅｓ）、実習終了とな
る。
【００２５】
続いて、ライセンス情報処理端末装置１２の処理部５０は、センター問い合わせ処理に
移行する（ステップＳ１６）。
センター問い合わせ処理においては、実習者であるダイバーの実習終了をライセンス管
理サーバ１３に照会を行い、この照会によりライセンス管理サーバ１３では、全セッショ
ン終了済みか否かを判別する（ステップＳ１７）。
すなわち、ライセンス発行には、ダイビング実習だけではなく、筆記試験セッションを
併せて修了する必要があるので、ライセンス管理サーバ１３は、必要な全セッションを修
了していないと判別した場合には（ステップＳ１７；Ｎｏ）、必要な全セッションの修了
を促し、ダイバーは必要なセッションを修了させ、その後、改めてセンター問い合わせ処
理（ステップＳ１６）に移行させて、同様の手順を踏むようになる。
一方、ステップＳ１７の判別において、全セッションが終了している場合には（ステッ
プＳ１７；Ｙｅｓ）、ライセンス管理サーバ１３よりライセンスデータが発行され（ステ
ップＳ１９）、ネットワーク１４、ライセンス情報処理端末装置１２を介してダイブコン
ピュータ１１のＩＤ記録部３５に新たなライセンスデータが格納される（ステップＳ２０
）。
【００２６】
以上の説明のように、本実施形態によれば、ダイビングのライセンス発行に必要なデー
タを電子化して、ダイブコンピュータにおいて収集することにより、申請時の煩わしさを
なくすとともにに、ライセンス発行処理をスムーズにおこなうことができる。
また、従来において使用してきたライセンスカードでの破損、紛失の心配もなくなるこ
ととなる。
さらに。実習時には実習内容がダイブコンピュータ記録されることにより、実習者の実
習内容が確実に把握され、ライセンス発行の信頼性と安全性が高まるという効果が得られ
る。
【００２７】
以上の説明においては、制御プログラムがＲＯＭに予め記憶されていることを前提とし
ていたが、これに限らず、ダイブコンピュータあるいはライセンス情報処理端末装置を図
示せぬパーソナルコンピュータやサーバコンピュータと通信ケーブルあるいはネットワー
クを介して接続し、このパーソナルコンピュータあるいはサーバコンピュータから制御プ
ログラムをダウンロードするような形態であってもよい。この場合、ダイブコンピュータ
内の書き換え可能な不揮発性メモリに制御プログラムが記憶されるようにすればよい。そ
して、各装置の処理部は、この不揮発性メモリから制御プログラムを読み出して、これを
実行するようにすればよい。
【図面の簡単な説明】
【００２８】
【図１】実施形態のダイビングライセンス発行システムの概要構成ブロック図である。
【図２】ダイバーズ用情報処理装置のブロック図である。
【図３】１回のダイビングにおいて水深の推移を示すプロファイルの一例の説明図である。
【図４】図３に示すダイビングを行い、表示部において、そのログ情報を表示している場合の表示画面の説明図である。
【図５】図３に示すダイビングを行い、表示部において、ダイビング毎のログ情報を表示している場合の表示画面の説明図である。
【図６】表示部において、過去のダイビングのトータル情報であるヒストリーデータを表示している場合の表示画面の説明図である。
【図７】ライセンス情報処理端末装置の概要構成ブロック図である。
【図８】ダイブコンピュータを用いたライセンス管理の処理フローチャートである。
【図９】指導者とのログ比較に用いるダイビングログデータと、その許容誤差とを説明する図である。
【符号の説明】
【００２９】
１０…ダイビングライセンス発行システム、１１…ダイブコンピュータ、１２…ライセ
ンス情報処理端末装置、１３…ライセンス管理サーバ、１４…ネットワーク、３０…処理
部、３０…１０時、３０Ａ…暗号処理部、３１…入水検知部、３２…操作部、３３…水深
演算部、３４…ヒストリー記録部、３５…ＩＤ記録部、３６…信号入力部、３７…信号出
力部、３８…表示部、５０…処理部、５１…ＩＰ接続部、５２…信号入力部、５３…信号
出力部、５４…表示部、６１…ダイビング日付データ、６２…最大水深データ、６３…平
均水深データ、６４…最低水温データ、６５…ダイビング本数データ、６６…潜水開始時
刻データ、６７…潜水終了時刻データ、６８…潜水時間データ、７１…トータルダイブタ
イムデータ、７２…トータルダイブ数データ。
【図１】
2008269451.tif 000003
【図２】
2008269451.tif 000004
【図３】
2008269451.tif 000005
【図４】
2008269451.tif 000006
【図５】
2008269451.tif 000007
【図６】
2008269451.tif 000008
【図７】
2008269451.tif 000009
【図８】
2008269451.tif 000010
【図９】
2008269451.tif 000011